(57)【特許請求の範囲】
【請求項１】
液体の流路となるルーメンを有するカテーテルシャフトと、
このカテーテルシャフトの先端側に接続された絶縁性灌注部材と、
この絶縁性灌注部材の先端側に接続された先端電極とを備えてなり、
前記絶縁性灌注部材には、前記カテーテルシャフトから供給される液体を前記先端電極の表面に灌注するための複数の灌注用開口が、当該絶縁性灌注部材の外周に沿って等角度間隔に配置され、
前記絶縁性灌注部材の内部には、前記カテーテルシャフトから供給される液体の貯留空間と、この貯留空間に連通し、前記灌注用開口の各々に至るように、外側に傾斜しながら先端方向に延びる複数の分岐流路が形成され、
前記絶縁性灌注部材の先端部には、前記分岐流路の各々に連続して先端方向に延びる液体の案内溝が形成され、
前記先端電極の基端部には、前記絶縁性灌注部材の案内溝の各々に連続する液体の案内溝が形成され、
前記カテーテルシャフトには、液体の流路となるルーメンが、当該カテーテルシャフトの外周に沿って複数配置されていることを特徴とする電極カテーテル。
【請求項２】
前記液体の貯留空間は、前記絶縁性灌注部材の外周に沿って形成された、周方向に隔壁のないジャケット空間であることを特徴とする請求項１に記載の電極カテーテル。
【請求項３】
前記先端電極の先端が膨出しており、当該先端電極の最大径をＤ１、前記カテーテルシャフトの管径をＤ２とするとき、Ｄ１／Ｄ２の値が１．０以上であることを特徴とする請求項１または請求項２に記載の電極カテーテル。
【請求項４】
前記絶縁性灌注部材には、先端偏向操作を行うための引張ワイヤの挿通路が形成されていることを特徴とする請求項１乃至請求項３の何れかに記載の電極カテーテル。
【発明の詳細な説明】
【技術分野】
【０００１】
本発明は、電極カテーテルに関し、更に詳しくは、カテーテルの先端に電極が装着されるとともに、この電極に生理食塩水などの液体を灌注する機構を備えた電極カテーテルに関する。
【背景技術】
【０００２】
電極カテーテルであるアブレーションカテーテルにおいて、焼灼時に高温となった先端電極を冷却するとともに、先端電極の周辺の血液を攪拌・希釈して先端電極の表面に血栓が形成されることを防止するための灌注機構を備えているものが使用されている。
【０００３】
灌注機構を備えた従来のカテーテルとしては、カテーテルシャフトを通って先端電極の内部に供給された生理食塩水をこの先端電極の表面に形成された複数の開口から噴射するタイプのものが紹介されている（例えば特許文献１および特許文献２参照）。
【先行技術文献】
【特許文献】
【０００４】
【特許文献１】特許第２５６２８６１号公報
【特許文献２】特開２００６−２３９４１４号公報
【発明の概要】
【発明が解決しようとする課題】
【０００５】
しかしながら、先端電極の表面に灌注用の開口が形成されてなる従来公知のカテーテルには、下記（１）〜（３）のような問題がある。
【０００６】
（１）先端電極の表面に開口を設けると、開口縁などに不可避的にエッジが形成される。そして、このようなエッジが形成されている先端電極によって焼灼を行うと、エッジ部分の電流密度がきわめて高くなり、この部分で異常な温度上昇が起きて、血栓が急速に形成される虞がある。
（２）先端電極の表面に形成された開口から生理食塩水を噴射しても、先端電極の表面に対して十分な灌注を行うこと（表面を液体で覆うこと）ができないため、先端電極の表面を十分に冷却することができず、また、表面における血栓の形成を十分に防止・抑制するすることができない。特に、先端電極の軸に対して垂直方向に生理食塩水を噴射する上記特許文献１および特許文献２に記載のカテーテルにおいては、先端電極の表面に対して生理食塩水を十分に接触させることができないため、電極表面の冷却効果および血栓の形成抑制効果はきわめて低いものである。
（３）複数の開口を電極表面に形成することにより、先端電極の表面積を十分に確保することができなくなり、効率的な焼灼治療を行うことができない。
【０００７】
本発明は以上のような事情に基いてなされたものである。
本発明の目的は、焼灼時において先端電極の一部に異常な温度上昇（高温部）を生じることがなく、先端電極表面の冷却効果および先端電極表面における血栓の形成抑制効果に優れ、しかも、効率的な焼灼治療を行うことができる、灌注機構を備えた電極カテーテルを提供することにある。
【課題を解決するための手段】
【０００８】
（１）本発明の電極カテーテルは、液体の流路となるルーメンを有するカテーテルシャフトと、
このカテーテルシャフトの先端側に接続された絶縁性灌注部材と、
この絶縁性灌注部材の先端側に接続された先端電極とを備えてなり、
前記絶縁性灌注部材には、前記カテーテルシャフトから供給される液体を前記先端電極の表面に灌注するための複数の灌注用開口が、当該絶縁性灌注部材の外周に沿って等角度間隔に配置され、
前記絶縁性灌注部材の内部には、前記カテーテルシャフトから供給される液体の貯留空間と、この貯留空間に連通し、前記灌注用開口の各々に至るように、外側（絶縁性灌注部材の半径方向の外側）に傾斜しながら先端方向に延びる複数の分岐流路が形成され、
前記絶縁性灌注部材の先端部には、前記分岐流路の各々に連続して先端方向に延びる液体の案内溝が形成され、
前記先端電極の基端部には、前記絶縁性灌注部材の案内溝の各々に連続する液体の案内溝が形成され、
前記カテーテルシャフトには、液体の流路となるルーメンが、当該カテーテルシャフトの外周に沿って複数配置されていることを特徴とする。
【０００９】
このような構成の電極カテーテルによれば、灌注用開口が絶縁性灌注部材に形成されているので、先端電極には開口を形成する必要がない。これにより、先端電極には、開口の形成に伴うエッジが存在しないので、焼灼時において先端電極の一部に異常な温度上昇を生じることはなく、これにより、血栓の形成が抑制される。
なお、開口の形成に伴うエッジが絶縁性灌注部材に存在していても、エッジ部分が絶縁性であるために、当該部分に電流が集中して温度が上昇することはない。
従って、本発明の電極カテーテルは、灌注機構を備えた従来公知のカテーテルと比較して、先端電極表面における血栓形成抑制効果が格段に優れている。
【００１０】
また、このような構成の電極カテーテルによれば、絶縁性灌注部材の先端部に配置された複数の灌注用開口から先端電極の表面に対して液体が灌注されるので、先端電極の表面に十分な量の液体を接触させることができ、また、先端電極の表面を灌注する液体は、先端電極の基端部から先端部に向かって、当該先端電極の表面に沿うように流れるので、灌注機構を備えた従来のカテーテルと比較して先端電極の表面の冷却効果に優れるとともに、先端電極表面付近の血液が十分に攪拌・希釈されることによっても優れた血栓形成抑制効果が奏される。
【００１１】
また、複数の灌注用開口が絶縁性灌注部材の外周に沿って等角度間隔に配置されているので、先端電極の表面を周方向の全域にわたり灌注することができる。
【００１２】
また、先端電極には開口を形成する必要がないので、十分な表面積を確保することができ、効率的な焼灼治療を行うことができる。
【００１３】
また、絶縁性灌注部材の内部に、カテーテルシャフトから供給される液体の貯留空間と、この貯留空間に連通し、灌注用開口の各々に至るように外側に傾斜しながら先端方向に延びる複数の分岐流路が形成されていることにより、カテーテルシャフトから絶縁性灌注部材の内部に供給された液体は、貯留空間において流れを整えてから、先端方向に延びる複数の分岐流路の各々を通って灌注用開口から噴射（灌注）されるので、等角度間隔に配置された複数の灌注用開口の間で噴射する液量にバラツキがなくなり、絶縁性灌注部材の周方向において均一な噴射（灌注）を行うことが可能となり、先端電極の表面を周方向の全域にわたり均等に灌注することができる。
【００１４】
また、絶縁性灌注部材の内部に形成された分岐流路が外側（絶縁性灌注部材の半径方向の外側）に傾斜するように形成されていることにより、灌注用開口（分岐流路の開口）を外側に配置することができるので、ある程度サイズの大きな先端電極（例えば、カテーテルシャフトの管径と同等以上の径を有する先端電極）の表面に対しても灌注することが可能になる。
【００１５】
また、絶縁性灌注部材の先端部に、分岐流路の各々に連続して先端方向に延びる液体の案内溝が形成されていることにより、灌注用開口から噴射される液体（分岐流路を通って灌注用開口に到達した液体）を、先端電極に向けて確実に案内（誘導）することができる。
【００１６】
更に、先端電極の基端部に、絶縁性灌注部材の案内溝の各々に連続する液体の案内溝が形成されていることにより、絶縁性灌注部材に形成された案内溝を通って先端電極の基端部に到達した液体を、先端電極の先端部に案内（誘導）することができ、これにより、先端電極の表面全体に液体を供給することができる。
【００１７】
（２）本発明の電極カテーテルにおいて、前記絶縁性灌注部材の内部に形成された前記液体の貯留空間は、当該絶縁性灌注部材の外周に沿って形成された、周方向に隔壁のないジャケット空間であることが好ましい。
【００１９】
このような構成の電極カテーテルによれば、複数のルーメンから絶縁性灌注部材に供給される液体を、周方向に隔壁のない貯留空間内で合流させることができる。
【００２０】
（３）本発明の電極カテーテルにおいて、前記先端電極の先端が膨出しており、当該先端電極の最大径をＤ１、前記カテーテルシャフトの管径をＤ２とするとき、Ｄ１／Ｄ２の値が１．０以上であることが好ましい。
【００２１】
このような構成の電極カテーテルによれば、先端電極において焼灼治療に十分な表面積が確保することができる。
【００２２】
（４）本発明の電極カテーテルにおいて、前記絶縁性灌注部材には、先端偏向操作を行うための引張ワイヤの挿通路が形成されていることが好ましい。
【発明の効果】
【００２３】
本発明の電極カテーテルによれば、焼灼時において先端電極の一部に異常な温度上昇が生じることがなく、先端電極の表面の冷却効果および先端電極の表面における血栓の形成抑制効果に優れ、しかも、効率的な焼灼治療を行うことができる。
【図面の簡単な説明】
【００２４】
【図１】本発明の電極カテーテルの一実施形態に係るアブレーションカテーテルの正面図である。
【図２】図１に示したアブレーションカテーテルの先端部分を示す斜視図である。
【図３】図１に示したアブレーションカテーテルを構成するカテーテルシャフトの横断面図（図１の III−III 断面図）である。
【図４】図１に示したアブレーションカテーテルの先端部分の内部を示す断面斜視図（図３のIV−IV断面図）である。
【図５】図１に示したアブレーションカテーテルの先端部分の内部を示す断面斜視図（図３のIV−IV断面図）であり、図４に示した引張ワイヤを取り外したときの状態を示している。
【図６】図１に示したアブレーションカテーテルの先端部分を示す縦断面図（図３のVI−VI断面図）である。
【図７】図１に示したアブレーションカテーテルを構成する灌注部材を示す斜視図である。
【図８】図１に示したアブレーションカテーテルを構成する灌注部材を示す斜視図である。
【図９】図１に示したアブレーションカテーテルを構成する灌注部材の内部を示す断面斜視図である。
【発明を実施するための形態】
【００２５】
以下、本発明の電極カテーテルの一実施形態について図面を用いて説明する。
【００２６】
図１に示す電極カテーテルは、心臓における不整脈の治療に用いられるアブレーションカテーテルである。
【００２７】
この実施形態のアブレーションカテーテル１００は、液体の流路となる８本のルーメン１１を有するカテーテルシャフト１０と、カテーテルシャフト１０の先端側に接続された絶縁性の灌注部材２０と、この灌注部材２０の先端側に接続された先端電極３０と、カテーテルシャフト１０の先端部に装着されたリング状電極４０と、カテーテルシャフト１０の基端側に接続された制御ハンドル７０と、液体の注入管８０とを備えてなり、カテーテルシャフト１０には、導線等が引き通されるルーメン１３と、このルーメン１３の周りに等角度間隔（３６°間隔）に配置された１０本のルーメン（液体の流路となる８本のルーメン１１、および引張ワイヤの挿通路となる２本のルーメン１２）とが形成され、灌注部材２０の先端部には、カテーテルシャフト１０のルーメン１１から供給される液体を先端電極３０の表面に噴射（灌注）するための８つの灌注用開口２５Ａが灌注部材２０の外周に沿って等角度間隔（４５°間隔）に配置され、灌注部材２０の内部には、周方向に隔壁のないジャケット空間２４（カテーテルシャフト１０から供給される液体の貯留空間）と、この貯留ジャケット空間２４に連通するとともに、８つの灌注用開口２５Ａの各々に至るよう先端方向に延びる８本の分岐流路２５が形成されている。
【００２８】
図１に示した注入管８０は、制御ハンドル７０の内部を通ってカテーテルシャフト１０に接続されており、この注入管８０を通って、カテーテルシャフト１０のルーメン１１に液体が供給される。ここに、「液体」としては、生理食塩水を例示することができる。
【００２９】
図１に示した制御ハンドル７０は、カテーテルチューブ１０の基端側に接続されており、カテーテルの先端偏向操作を行うための回転板７５を備えている。
【００３０】
図３に示すように、アブレーションカテーテル１００を構成するカテーテルシャフト１０には、先端電極やリング状電極に接続される導線等（図示省略）が引き通されるルーメン１３と、このルーメン１３の周りに等角度（３６°＝３６０°／１０）の間隔で配置された１０本のルーメンが形成されている。
【００３１】
ルーメン１３の周りに等間隔で形成されている１０本のルーメンは、同一の外径を有している。１０本のルーメンのうちの２本のルーメン１２には、カテーテルの先端偏向操作を行うための引張ワイヤ６１，６２が挿通されている。そして、引張ワイヤ６１，６２が挿通されていない８本のルーメン１１が液体の流路となる。
【００３２】
なお、図３において、１５は、引張ワイヤ６１，６２による偏向操作を確実に行わせるためにカテーテルシャフト１０内に埋め込まれた剛性体である。
剛性体１５は、Ｎｉ−Ｔｉ合金などの金属製の棒ばねからなり、曲げ方向（引張ワイヤ６１，６２の配列方向）に対して垂直方向に配列された剛性体１５，１５により曲げ方向の異方性を担保することができる。
【００３３】
カテーテルシャフト１０は、軸方向に沿って同じ特性の材料で構成してもよいが、軸方向に沿って剛性（硬度）の異なる材料を用いて一体的に形成することが好ましい。具体的には、近位端側の構成材料が相対的に高い剛性を有し、遠位端側の構成材料が相対的に低い剛性を有するものであることが好ましい。
【００３４】
カテーテルシャフト１０は、例えばポリオレフィン、ポリアミド、ポリエーテルポリアミド、ポリウレタン、ナイロン、ＰＥＢＡＸ（ポリエーテルブロックアミド）などの合成樹脂で構成される。また、カテーテルシャフト１０の近位端側は、これらの合成樹脂からなるチューブをステンレス素線で編組したブレードチューブであってもよい。
【００３５】
カテーテルシャフト１０の外径は１．０〜３．０ｍｍであることが好ましく、更に好ましくは１．６〜２．７ｍｍとされ、好適な一例を示せば２．３６ｍｍである。
カテーテルシャフト１０の長さは６００〜１５００ｍｍであることが好ましく、更に好ましくは９００〜１２００ｍｍとされる。
【００３６】
アブレーションカテーテル１００を構成する灌注部材２０は、図９に示したように二重管構造を有している。
灌注部材２０は絶縁性樹脂の成型品からなる。これにより、複雑な形状・構造であっても、安価に製造することができるとともに、灌注部材２０にエッジが形成されていても、アブレーションカテーテル１００の使用（焼灼）時に、エッジ部分に電流が集中して高温になることはない。
【００３７】
灌注部材２０を示す図７〜図９において、２１は外管薄肉部、２２は外管厚肉部、２３は内管部、２４は、液体の貯留ジャケット空間、２５は、貯留ジャケット空間２４に連通するとともに先端方向に延びる８本の分岐流路、２５Ａは、分岐流路２５の各々の開口（灌注用開口）、２６は、分岐流路２５の各々に連続して先端方向に延びる液体の案内溝、２７は引張ワイヤの挿通路、２８Ａは中央開口、２９は抜け止め用凸部である。
【００３８】
なお、灌注部材２０において、分岐流路２５、灌注用開口２５Ａ、液体の案内溝２６は、それぞれ、灌注部材２０の外周に沿って４５°間隔で８つずつ設けられているが、図４〜図９では、その一部のみが見えている。
【００３９】
外管（薄肉部２１・厚肉部２２）と内管部２３とにより仕切られる貯留ジャケット空間２４は、カテーテルシャフト１０のルーメン１１の各々から灌注部材２０に供給される液体を合流させるための空間である。この貯留ジャケット空間２４には、周方向の隔壁がないために、貯留ジャケット空間２４に流入した液体を周方向に自由に流動させることができる。
【００４０】
灌注部材２０の先端部（内部）には、その外周に沿って等角度（４５°＝３６０°／８）の間隔で配置された８本の分岐流路２５が形成されている。
分岐流路２５の各々は、その基端側において貯留ジャケット空間２４に連通しているとともに先端方向に延び、灌注部材２０の先端部における灌注用開口２５Ａに至る。これにより、灌注部材２０の先端部における灌注用開口２５Ａは、灌注部材２０の外周に沿って等角度（４５°）間隔に配置されることになる。
【００４１】
また、図６に示すように、分岐流路２５の各々は、灌注部材２０の軸方向に対して外側（灌注部材２０の半径方向の外側）に傾斜するように形成されている。
これにより、灌注用開口２５Ａを、傾斜させない場合と比べて外側に配置（灌注部材２０の外周に沿って配置）することが可能となるとともに、外側に傾斜している分岐流路２５を通って灌注用開口２５Ａに到達した液体は、灌注用開口２５Ａから先端方向外側（灌注部材２０の軸方向における先端側で、かつ半径方向における外側）に向けて噴射される。このため、ある程度サイズの大きな先端電極３０の表面に対しても灌注することが可能になる。
【００４２】
灌注部材２０の外周に沿って等角度（４５°）間隔に配置された８つの灌注用開口２５Ａ（分岐流路２５の開口）は、カテーテルシャフト１０（ルーメン１１）から供給される液体を先端電極３０の表面に灌注するための噴射口である。
【００４３】
灌注部材２０の先端部（外部）には、分岐流路２５の各々に連続して（灌注用開口２５Ａから）先端方向に延びる液体の案内溝２６が形成されている。
この案内溝２６により、灌注用開口２５Ａから噴射される液体（分岐流路２５を通って灌注用開口２５Ａに到達した液体）を、先端電極３０に向けて確実に案内（誘導）することができる。
【００４４】
また、灌注部材２０の先端部には、先端偏向操作を行うための引張ワイヤの挿通路２７が形成されている。
引張ワイヤ６１，６２は、それぞれの近位端が、制御ハンドル７０の回転板７５（図１参照）に連結され、図４（図５）に示したように、カテーテルシャフト１０のルーメン１２，１２、灌注部材２０の貯留ジャケット空間２４、挿通路２７，２７を通り、それぞれの遠位端が、灌注部材２０の先端において固定されている。
これにより、例えば、図１に示すＡ１方向に回転板７５を回転させると、引張ワイヤ６１が引っ張られ、カテーテル１００の先端部分が矢印Ａ方向に偏向動作し、図１に示すＢ１方向に回転板７５を回転させると、引張ワイヤ６２が引っ張られ、カテーテル１００の先端部分が矢印Ｂ方向に偏向動作する。
【００４５】
灌注部材２０の構成材料としては、医療分野で使用されている絶縁性樹脂であれば特に限定されるものではないが、ポリエーテルエーテルケトン（ＰＥＥＫ）などの芳香族ポリエーテルケトンなどが好ましい。
【００４６】
灌注部材２０の長さ（カテーテルシャフト１０に接続するときに埋め込まれる部分を含む）は、例えば１〜５ｍｍとされ、好適な一例を示せば２ｍｍである。
灌注部材２０の外径（外管厚肉部２２における外径）は、カテーテルシャフト１０の外径と同じであることが好ましい。
【００４７】
図４〜図６に示したように、カテーテルシャフト１０の先端部分（先端から１〜５ｍｍ程度）におけるルーメン１１およびルーメン１２を含む領域をくり抜いて（カテーテルシャフト１０の外層およびルーメン１３を囲む樹脂部分を残して）円周状の溝を形成し、この溝内に、灌注部材２０の基端部分（外管薄肉部２１と内管部２３）を挿入固着する（このとき、カテーテルシャフト１０のルーメン１３を囲む樹脂部分は、内管部２３の内部に挿入される。また、このとき、シャフト１０の先端面と、外管厚肉部２２の後端面とが当接する）ことにより、カテーテルシャフト１０の先端側に灌注部材２０が接続され、カテーテルシャフト１０のルーメン１１およびルーメン１２と、灌注部材２０の貯留ジャケット空間２４とが連通する。
【００４８】
アブレーションカテーテル１００を構成する先端電極３０は、半球状の先端膨出部３１と、頸部３２と、円筒状部分３３とを有する。
【００４９】
図４〜図６に示したように、先端電極３０は、その円筒状部分３３が、図７に示す中央開口２８Ａから灌注部材２０の内部（内管部２３の内部）に挿入固着されることにより、灌注部材２０の先端側に接続される。
【００５０】
先端電極３０の先端膨出部３１の径としては１．０〜３．３ｍｍであることが好ましく、更に好ましくは２．２〜２．６ｍｍ、特に好ましくは２．３〜２．５ｍｍ、好適な一例を示せば２．３６ｍｍである。
【００５１】
また、先端膨出部３１の径（先端電極３０の最大径）をＤ１、カテーテルシャフト１０の管径をＤ２とするとき、Ｄ１／Ｄ２の値が１．０以上であることが好ましく、更に好ましくは１．０〜１．５とされ、好適な一例を示せば１．０（Ｄ１／Ｄ２＝２．３６ｍｍ／２．３６ｍｍ）である。
Ｄ１／Ｄ２の値が過小である場合には、そのような先端電極を備えたカテーテルにより効率的な焼灼治療を行うことが困難となる。
他方、Ｄ１／Ｄ２の値が過大である場合には、そのような先端電極の表面に対して十分な量の液体を灌注すること（十分に冷却効果・血栓の形成抑制効果を発現させること）が困難となる。
【００５２】
なお、Ｄ１／Ｄ２の値が１．０以上である先端電極３０の表面に対して十分な量の液体を灌注できるのは、灌注部材２０の分岐流路２５を外側に傾斜させていることによって、傾斜させない場合よりも灌注用開口２５Ａを外側に位置させているからである。この点においても、灌注部材２０を介在させる意義がある。
【００５３】
また、先端電極３０の基端部（頸部３２）には、灌注部材２０の案内溝２６の各々に連続する液体の案内溝３６が形成されている。
この案内溝３６が形成されていることにより、灌注部材２０に形成された案内溝２６を通って先端電極３０の基端部に到達した液体を、先端電極３０の先端部に案内（誘導）することができ、これにより、先端膨出部３１を含む先端電極３０の表面全体に液体を供給することができる。
なお、先端電極３０に形成された案内溝３６は緩やかなＲ形状を有しているので、焼灼時においても、この部分において異常な温度上昇は起こらない。
【００５４】
この実施形態のアブレーションカテーテル１００によれば、灌注用開口２５Ａが絶縁性の灌注部材２０に形成されていて、導電性の先端電極３０にはエッジが存在しないので、アブレーションカテーテル１００の使用時（焼灼時）において先端電極３０の一部に異常な温度上昇（高温部）を生じることはなく、そのような高温部に血液が接触して形成される血栓の形成が抑制される。
従って、このアブレーションカテーテル１００は、先端電極に灌注用開口が形成されている従来公知のカテーテルと比較して、先端電極３０の表面における血栓形成抑制効果が格段に優れている。
【００５５】
また、この実施形態のアブレーションカテーテル１００によれば、灌注部材２０の先端部に配置されている８つの灌注用開口２５Ａから先端電極３０の表面に対して液体が噴射（灌注）されるので、先端電極３０の表面に十分な量の液体を接触させることができる。  しかも、先端電極３０の表面に噴射される液体は、先端電極３０の基端部（頸部３２）から先端部（先端膨出部３１）に向かって、先端電極３０の表面に沿うように流れる（先端電極３０の周辺の血液は十分に攪拌・希釈される）。
従って、このアブレーションカテーテル１００は、先端電極に灌注用開口が形成されている従来公知のカテーテルと比較して、先端電極３０の表面の冷却効果に優れるとともに、先端電極３０の周辺の血液が十分に攪拌・希釈されることによって、更に優れた血栓形成抑制効果が奏される。
【００５６】
また、８つの灌注用開口２５Ａが灌注部材２０の外周に沿って等角度（４５°）間隔に配置されているので、先端電極３０の表面を周方向の全域（３６０°）にわたり灌注することができる。
【００５７】
また、カテーテルシャフト１０の外周に沿って配置されている８本のルーメン１１の各々から灌注部材２０に供給された液体は、周方向に隔壁のない貯留空間２４において合流し、灌注部材２０の外周に沿って等角度（４５°）間隔で配置された８本の分岐流路２５の各々を通って灌注用開口２５Ａから噴射（灌注）されるので、カテーテルシャフト１０から灌注部材２０に供給される液体の量に周方向のバラツキ（液体の流路とならないルーメン１２が形成され、液体の流路であるルーメン１１が全周にわたって形成されていないことに起因するバラツキ）があるにも関わらず、８つの灌注用開口２５Ａの間で噴射する液量にはバラツキがなくなり、先端電極３０の表面を周方向の全域（３６０°）にわたり均等に灌注することができる。
【００５８】
また、分岐流路２５の各々が灌注部材２０の軸方向に対して外側に傾斜するように形成されているので、ある程度サイズの大きな先端電極（Ｄ１／Ｄ２の値が１．０である先端電極３０）の表面に対しても十分に灌注することができる。
【００５９】
しかも、先端電極３０には開口を形成する必要がないので、焼灼するために十分な表面積を確保することができ、効率的な焼灼治療を行うことができる。
【００６０】
以上、本発明の一実施形態について説明したが、本発明はこれらに限定されるものではなく、種々の変更が可能である。
例えば、灌注部材における分岐流路（灌注用開口）の数は８でなくてもよく、例えば３〜１２の範囲で適宜選択することができる。
また、カテーテルシャフトの内部構造についても、液体の流路となるルーメンを少なくとも１つ有するものであれば、特に制限されるものではない。
また、先端電極の形状は特に限定されるものではなく、砲弾形状などであってもよい。但し、電極カテーテルの使用時（焼灼時）において電流が集中する鋭いエッジが形成されていないことが必要である。
【符号の説明】
【００６１】
１００  アブレーションカテーテル
１０    カテーテルシャフト
１１    ルーメン（液体の流路）
１２    ルーメン（引張ワイヤの挿通路）
１３    ルーメン
１５    剛性体（針金）
２０    灌注部材
２１    外管薄肉部
２２    外管厚肉部
２３    内管部
２４    貯留ジャケット空間
２５    分岐流路
２５Ａ  灌注用開口
２６    液体の案内溝
２７    引張ワイヤの挿通路
２９    抜け止め用凸部
３０    先端電極
３１    先端膨出部
３２    頸部
３３    円筒状部分
３６    液体の案内溝
４０    リング状電極
６１    引張ワイヤ
６２    引張ワイヤ
７０    制御ハンドル
７５    回転板
８０    液体の注入管
【図１】
0005283135.tif 000002
【図２】
0005283135.tif 000003
【図３】
0005283135.tif 000004
【図４】
0005283135.tif 000005
【図５】
0005283135.tif 000006
【図６】
0005283135.tif 000007
【図７】
0005283135.tif 000008
【図８】
0005283135.tif 000009
【図９】
0005283135.tif 000010